(57)【要約】【課題】本発明は、振動モータを提供する。【解決手段】本発明の振動モータは、ハウジングと、ハウジングに収納される振動子と、駆動装置と、振動子を弾性的に支持する弾性部材とを備え、ハウジングは、天壁、底壁、および天壁と底壁を接続する側壁を備え、振動子はカウンターウェイトブロックとカウンターウェイトブロックに設置される永久磁石を備え、カウンターウェイトブロックは上面と、下面と、上面と下面とを接続する内壁とを備え、駆動装置は天壁に設置された第１コイルと、底壁に設置された第２コイルと、第１コイルから第２コイルに向かって延在されたコアを備え、コアは、本体部と、本体部から天壁方向に延在して且つ天壁に固定された第１固定端と、本体部から底壁方向に延在する第２固定端とを備え、第１コイルは第１固定端に外嵌され、第２コイルは第２固定端に外嵌され、コアの本体部は中空部内に設置され、且つ永久磁石と対向して間隔をあけて設置される。本発明はより良い振動効果を有する。【選択図】図１
2020022353.tif 000002
【特許請求の範囲】
【請求項１】
ハウジングと、前記ハウジングに収納される振動子と、前記振動子が振動するように駆動する駆動装置と、前記振動子を弾性的に支持する弾性部材とを備える振動モータであって、
前記ハウジングは、天壁と、前記天壁に対向して設置される底壁と、前記天壁と前記底壁を接続する側壁とを備え、
前記振動子はカウンターウェイトブロックと前記カウンターウェイトブロックに設置される永久磁石を備え、
前記カウンターウェイトブロックは前記天壁に対応する上面と、前記底壁に対応する下面と、前記上面と前記下面とを接続する内壁とを備え、
前記内壁は前記上面から前記下面に向かって前記カウンターウェイトブロックを貫通する中空部を囲み、
前記永久磁石は前記内壁に設置され、
前記駆動装置は前記天壁に設置された第１コイルと、前記底壁に設置された第２コイルと、前記第１コイルから前記第２コイルに向かって延在されたコアを備え、
前記コアは、本体部と、前記本体部から前記天壁方向に延在して且つ前記天壁に固定された第１固定端と、前記本体部から前記底壁方向に延在する第２固定端とを備え、
前記第１コイルは前記第１固定端に外嵌され、前記第２コイルは前記第２固定端に外嵌され、前記コアの本体部は前記中空部内に設置され、且つ前記永久磁石と対向して間隔をあけて設置されることを特徴とする振動モータ。
【請求項２】
前記中空部の内壁は前記振動子に垂直した振動方向に沿って設置された第１内壁を備え、前記永久磁石は前記第１内壁上に設置されることを特徴とする請求項１に記載の振動モータ。
【請求項３】
前記第１コイルと前記第２コイルはフラットコイルであることを特徴とする請求項１に記載の振動モータ。
【請求項４】
前記弾性部材は前記振動子の両側にそれぞれ設置されるＣ型バネであり、前記振動子に接続される第１固定部と、前記側壁に接続される第２固定部と、前記第１固定部と前記第２固定部とを接続する接続部とを備えることを特徴とする請求項１に記載の振動モータ。
【請求項５】
少なくとも二つの前記第１内壁は対向して間隔をあけて設置され、少なくとも二つの前記永久磁石がそれぞれ前記第１内壁に設置されることを特徴とする請求項２に記載の振動モータ。
【請求項６】
前記上面は前記下面に向かって凹んで第１逃げ溝が形成され、前記第１逃げ溝は前記第１コイルに対応することを特徴とする請求項２に記載の振動モータ。
【請求項７】
前記下面は前記上面に向かって凹んで第２逃げ溝が形成され、前記第２逃げ溝は前記第２コイルに対応することを特徴とする請求項２又は請求項６に記載の振動モータ。
【請求項８】
前記駆動装置は前記振動子の振動方向に沿って対称的に設置されることを特徴とする請求項１に記載の振動モータ。
【発明の詳細な説明】
【技術分野】
【０００１】
本発明は、振動モータの分野に関し、特にリニア振動を行うリニア振動モータに関する。
【背景技術】
【０００２】
電子技術の発展に伴い、ポータブル消費者向け電子製品、例えば携帯電話、パームトップゲーム機、ナビゲーション装置又はパームトップマルチメディアエンターテイメントデバイス等はますます人気が高まっており、これらの電子製品は一般的に振動モータを用いてシステムフィードバック、例えば携帯電話の着信番号表示、情報表示、ナビゲーション表示、ゲーム機の振動フィードバック等を行う。このように広く応用されるためには、振動モータの性能に優れ、耐用年数が長いことが要求される。
【０００３】
振動モータは、通常、収容空間を有するハウジングと、前記収容空間に収納される振動子と、前記ハウジングおよび前記振動子とそれぞれに接続される弾性部材とを備え、前記弾性部材は、前記振動子が前記ハウジング内を往復運動することで振動するように支持する。従来技術における振動モータは、振動子を駆動する方式が、一般的にコイルと永久磁石と相互に誘導されることであり、しかし、このような方式で提供される駆動力は十分ではなく、振動モータのニーズを満たすことが困難である。
【０００４】
このため、上記問題を解決するために、新規の振動モータを提供する必要がある。
【発明の概要】
【発明が解決しようとする課題】
【０００５】
本発明は上記問題を解決するためになされたものであり、新たな駆動方式を採用し、振動モータのサイズを変更することなく振動効率が大きくになり、より良好な振動効果を実現することができる新規の振動モータを提供する。
【課題を解決するための手段】
【０００６】
具体的な技術手段は、下記の通りである。
本発明は、振動モータを提供し、ハウジングと、前記ハウジングに収納される振動子と、前記振動子が振動するように駆動する駆動装置と、前記振動子を弾性的に支持する弾性部材とを備え、前記ハウジングは、天壁と、前記天壁に対向して設置される底壁と、前記天壁と前記底壁を接続する側壁とを備え、前記振動子はカウンターウェイトブロックと前記カウンターウェイトブロックに設置される永久磁石を備え、前記カウンターウェイトブロックは前記天壁に対応する上面と、前記底壁に対応する下面と、前記上面と前記下面とを接続する内壁とを備え、前記内壁は前記上面から前記下面に向かって前記カウンターウェイトブロックを貫通する中空部を囲み、前記永久磁石は前記内壁に設置され、前記駆動装置は前記天壁に設置された第１コイルと、前記底壁に設置された第２コイルと、前記第１コイルから前記第２コイルに向かって延在されたコアを備え、前記コアは、本体部と、前記本体部から前記天壁方向に延在して且つ前記天壁に固定された第１固定端と、前記本体部から前記底壁方向に延在する第２固定端とを備え、前記第１コイルは前記第１固定端に外嵌され、前記第２コイルは前記第２固定端に外嵌され、前記コアの本体部は前記中空部内に設置され、且つ前記永久磁石と対向して間隔をあけて設置される。
【０００７】
好ましくは、前記中空部の内壁は前記振動子に垂直した振動方向に沿って設置された第１内壁を備え、前記永久磁石は前記第１内壁上に設置される。
【０００８】
好ましくは、前記第１コイルと前記第２コイルはフラットコイルである。
【０００９】
好ましくは、前記弾性部材は前記振動子の両側にそれぞれ設置されるＣ型バネであり、前記振動子に接続される第１固定部と、前記側壁に接続される第２固定部と、前記第１固定部と前記第２固定部とを接続する接続部とを備える。
【００１０】
好ましくは、少なくとも二つの前記第１内壁は対向して間隔をあけて設置され、少なくとも二つの前記永久磁石がそれぞれ前記第１内壁に設置される。
【００１１】
好ましくは、前記上面は前記下面に向かって凹んで第１逃げ溝が形成され、前記第１逃げ溝は前記第１コイルに対応する。
【００１２】
好ましくは、前記下面は前記上面に向かって凹んで第２逃げ溝が形成され、前記第２逃げ溝は前記第２コイルに対応する。
【００１３】
好ましくは、前記駆動装置は前記振動子の振動方向に沿って対称的に設置される。
【発明の効果】
【００１４】
本発明の振動モータにおいて、ハウジングと、前記ハウジングに収納される振動子と、前記振動子が振動するように駆動する駆動装置と、前記振動子を弾性的に支持する弾性部材とを備え、前記ハウジングは、天壁と、前記天壁に対向して設置される底壁と、前記天壁と前記底壁を接続する側壁とを備え、前記振動子はカウンターウェイトブロックと前記カウンターウェイトブロックに設置される永久磁石を備え、前記カウンターウェイトブロックは前記天壁に対応する上面と、前記底壁に対応する下面と、前記上面と前記下面とを接続する内壁とを備え、前記内壁は前記上面から前記下面に向かって前記カウンターウェイトブロックを貫通する中空部を囲み、前記永久磁石は前記内壁に設置され、前記駆動装置は前記天壁に設置された第１コイルと、前記底壁に設置された第２コイルと、前記第１コイルから前記第２コイルに向かって延在されたコアを備え、前記コアは本体部と、前記本体部から前記天壁方向に延在して且つ前記天壁に固定された第１固定端と、前記本体部から前記底壁方向に延在する第２固定端とを備え、前記第１コイルは前記第１固定端に外嵌され、前記第２コイルは前記第２固定端に外嵌され、前記コアの本体部は前記中空部内に設置され、且つ前記永久磁石と対向して間隔をあけて設置される。新たな駆動方式により、振動モータのサイズを変更することなく効率が大きくになり、より良好な振動効果を実現する。
【図面の簡単な説明】
【００１５】
【図１】本発明に係る振動モータの構造を示す分解図である。
【図２】本発明に係る振動モータの一部の組立構造を示す図である。
【図３】本発明に係る振動モータの一部の組立構造を示す図である。
【図４】本発明に係る振動モータの断面図である。
【発明を実施するための形態】
【００１６】
以下、図面を参照しながら本発明を更に説明する。
【００１７】
図１と図２に示すように、本発明に係る振動モータ１００は、ハウジング１と、ハウジング１に収納される振動子２と、振動子２を弾性的に支持する弾性部材３と、振動子２が振動方向に沿って振動するように駆動する駆動装置４と、を備える。
【００１８】
ハウジング１は長尺状の構造であり、天壁１１１と、天壁１１１と対向する底壁１１３と、天壁１１１と底壁１１３を接続する側壁１１２とを備える。具体的には、本実施形態において、ハウジング１は、天壁１１１と側壁１１２を有するカバープレート１１と、カバープレート１１に蓋接され且つカバープレート１１と共に収容空間を形成する、底壁１１３とする底板１２とを備える。駆動装置４は、ハウジング１に固定され、弾性部材３の一端が振動子２に接続され、他端がハウジング１の側壁１１２に接続される。
【００１９】
駆動装置４は、具体的に、ハウジング１に設置されるコイルと、コイルと対応するコア４２とを備える。振動子２は、コイルおよびコア４２と対応する永久磁石２２を備える。コイルは、通電中に磁界でロレンツ力を受けて、振動子２が底壁１１３に平行する方向に沿って振動するように駆動する。本実施形態において、コイルは二つがあり、天壁１１１に設けられた第１コイル４１と、底壁１１３に設けられた第２コイル４３とを備える。第１コイル４１と第２コイル４３は、振動子の振動方向に沿って対称的に設けられている。
【００２０】
コア４２は本体部４２１と、本体部４２１から天壁１１１方向に延在する第１固定端４２２と、本体部４２１から底壁１１３方向に延在する第２固定端４２３とを備え、第１コイル４１は第１固定端４２２に外嵌され、第２コイル４３は第２固定端４２３に外嵌される。通電中には、コイルとコア４２との間に磁界が形成され、振動子２の永久磁石２２と相互に引き付けて反発して振動子の振動を駆動する。
【００２１】
振動子２は、カウンターウェイトブロック２１と、カウンターウェイトブロック２１に設置される永久磁石２２と、を備える。具体的には、本実施形態において、カウンターウェイトブロック２１は天壁１１１に対応する上面２１１と、底壁１１３に対応する下面及び上面２１１と下面とを貫通する、内壁で囲まれた中空部と、を備える。具体的には、本実施形態における駆動装置４は以下のようであり、駆動装置４のコア４２が中空部内に設けられ、中空部を囲む内壁に対向するように間隔をあけて設けられている。内壁は少なくとも二つの第１内壁及び第１内壁２１３に接続された第２内壁２１４を備え、少なくとも二つの永久磁石２２が第１内壁２１３に設置される。具体的には、本実施形態において、内壁は、短軸方向に沿って配置された二つの第１内壁２１３と、長軸方向に沿って配置された第２内壁２１４とを備える。永久磁石２２は第１内壁２１３に設置される。本実施形態において、永久磁石２２は二つがあり、二つの第１内壁２１３にそれぞれに設置され、且つコア４２と対称で且つ間隔をあけて設置される。永久磁石２２はコア４２との間の距離は振動子の最大振幅より大きく、振動子２の振動過程において、コア４２が二つの永久磁石２２の間で相対運動する。
【００２２】
図３と図４に示すように、さらに、カウンターウェイトブロック２１の上面２１１に下面へ向かって凹んで形成された第１逃げ溝２１０１が設けられ、第１逃げ溝２１０１は前記第１コイル４１に対応する。これに対して、下面が上面２１１に向かって凹んで第２逃げ溝２１０２が形成され、第２逃げ溝２１０２が前記第２コイル４３に対応する。第１逃げ溝２１０１及び第２逃げ溝２１０２の設置は、振動子とコイルとの衝突による騒音の発生又は製品の信頼性の影響を防止することができる。
【００２３】
弾性部材３は開口方向が対向して設置される二つのＣ型バネである。具体的には、弾性部材３は振動子２のカウンターウェイトブロック２１に接続される第１固定部３１と、側壁１１２に接続される第２固定部３２と、第１固定部３１及び第２固定部３２と接続される接続部３３とを備える。
【００２４】
新たな駆動方式により、振動モータのサイズを変更することなく効率が大きくになり、より良好な振動効果を実現する。
【００２５】
本発明の振動モータにおいて、ハウジングと、前記ハウジングに収納される振動子と、前記振動子が振動するように駆動する駆動装置と、前記振動子を弾性的に支持する弾性部材とを備え、前記ハウジングは、天壁と、前記天壁に対向して設置される底壁と、前記天壁と前記底壁を接続する側壁とを備え、前記振動子はカウンターウェイトブロックと前記カウンターウェイトブロックに設置される永久磁石を備え、前記カウンターウェイトブロックは前記天壁に対応する上面と、前記底壁に対応する下面と、前記上面と前記下面とを接続する内壁とを備え、前記内壁は前記上面から前記下面に向かって前記カウンターウェイトブロックを貫通する中空部を囲み、前記永久磁石は前記内壁に設置され、前記駆動装置は前記天壁に設置された第１コイルと、前記底壁に設置された第２コイルと、前記第１コイルから前記第２コイルに向かって延在されたコアを備え、前記コアは本体部と、前記本体部から前記天壁方向に延在して且つ前記天壁に固定された第１固定端と、前記本体部から前記底壁方向に延在する第２固定端とを備え、前記第１コイルは前記第１固定端に外嵌され、前記第２コイルは前記第２固定端に外嵌され、前記コアの本体部は前記中空部内に設置され、且つ前記永久磁石と対向して間隔をあけて設置される。新たな駆動方式により、振動モータのサイズを変更することなく効率が大きくになり、より良好な振動効果を実現する。
【００２６】
上記のように本発明の実施例を説明したが、上記の実施例は例示的なものに過ぎなく、本発明を制限するためのものではなく、当業者は、本発明の主旨から逸脱しない範囲で上記実施例に対して変更、修正、差換えおよび変形を行うことができる。
【図１】
2020022353.tif 000003
【図２】
2020022353.tif 000004
【図３】
2020022353.tif 000005
【図４】
2020022353.tif 000006